(57)【特許請求の範囲】
【請求項１】
被測定体に対する接触ヘッド部および上記接触ヘッド部に所定の電気配線を介して接続された接続端子部を有するプローブと、上記プローブの接続端子部が選択的に接続される少なくとも電流測定用の第１信号測定端子および電圧測定用の第２信号測定端子の２つの信号測定端子を含む測定器本体とを備え、上記被測定体の電気信号が上記プローブを介して上記測定器本体に入力される電気測定器において、
上記測定器本体には、上記電流測定用の第１信号測定端子と上記電圧測定用の第２信号測定端子のうち、上記電流測定用の第１信号端子側に磁気発生手段が設けられ、
上記プローブの接続端子部には、上記磁気発生手段による磁気を検知する磁気センサが設けられているとともに、上記接触ヘッド部には、上記磁気センサにより駆動される報知手段が設けられており、
上記プローブの接続端子が上記電圧測定用の第２信号測定端子に接続されている状態時には上記報知手段は非動作であり、上記プローブの接続端子が上記電流測定用の第１信号測定端子に接続されている状態時にのみ上記報知手段が動作し、
上記プローブの接触ヘッド部側で、上記報知手段により、上記プローブの接続端子が上記電流測定用の第１信号測定端子に接続されているのか、もしくは上記電圧測定用の第２信号測定端子に接続されているのかが分かるようにしたことを特徴とする電気測定器。
【請求項２】
上記接触ヘッド部には、上記報知手段の動作電源が搭載されていることを特徴とする請求項１に記載の電気測定器。
【請求項３】
上記磁気発生手段が、永久磁石よりなることを特徴とする請求項１または２に記載の電気測定器。
【請求項４】
上記報知手段が、可視的な表示手段であることを特徴とする請求項１ないし３のいずれか１項に記載の電気測定器。
【請求項５】
上記報知手段が、ブザー音発生手段であることを特徴とする請求項１ないし３のいずれか１項に記載の電気測定器。
【発明の詳細な説明】
【技術分野】
【０００１】
本発明は、測定器本体に設けられている複数の信号測定端子のいずれかにプローブを接続して使用するマルチメータ等の電気測定器に関し、さらに詳しく言えば、プローブがどの信号測定端子に接続されているかを測定者に報知する技術に関するものである。
【背景技術】
【０００２】
マルチメータ（テスター）を例にして説明すると、その測定器本体には、電流，電圧，抵抗等の測定項目を選択するファンクション切替用スイッチ（多くの場合、ロータリースイッチ）と、電圧測定用端子穴や電流測定用端子穴等を含む信号測定端子とが設けられており、測定用のプローブを信号測定端子の所定の端子穴に差し込んで測定を行うようにしている。
【０００３】
このようなマルチメータにおいて、ファンクション切替用スイッチにより選択された測定項目と、プローブが差し込まれた端子穴とが異なる場合（例えば、測定項目として「電圧測定」を選択しているにも関わらず、プローブを電流測定用端子穴に差し込んでしまうような場合）には、事故が起こりかねない。
【０００４】
そこで、特許文献１に記載された発明では、保護機能として、ファンクション切替用のロータリースイッチに連動するシャッター板により、電圧測定用端子穴と電流測定用端子穴のいずれか一方を閉じるようにしている。
【０００５】
すなわち、シャッター板により、電圧測定時には電圧測定用端子穴側を開，電流測定用端子穴側を閉とし、電流測定時には電圧測定用端子穴側を閉，電流測定用端子穴側を開にするようにしている。
【先行技術文献】
【特許文献】
【０００６】
【特許文献１】特許第２７９７４３０号公報
【発明の概要】
【発明が解決しようとする課題】
【０００７】
上記の保護機能によれば、各測定状態において、測定用端子穴に対するプローブの誤挿入を防止することができるが、なおも解決すべき課題が残されている。
【０００８】
すなわち、実際の測定作業において、特に測定器本体が離れた場所に置かれているような場合、プローブの先端側（プローブのコンタクト側）でプローブが測定器本体のどの測定用端子穴に接続されているか分からないことがある。
【０００９】
そうすると、例えば電圧測定用端子穴に接続していると思い込んで、実際には電流測定用端子穴に接続されているプローブに電圧を印加してしまうことがあり、これが事故につながる。また、別の問題として、上記のシャッター板による保護機能は機械的な構造であるため、無理な操作や落下衝撃等により故障や破損が生じやすい。
【００１０】
したがって、本発明の課題は、測定器本体に複数の信号測定端子が設けられており、そのいずれかに測定用のプローブが接続される電気測定器において、プローブが測定器本体のどの信号測定端子に接続されているかを、プローブ側で分かるようにすることにある。
【課題を解決するための手段】
【００１１】
上記課題を解決するため、本発明は、被測定体に対する接触ヘッド部および上記接触ヘッド部に所定の電気配線を介して接続された接続端子部を有するプローブと、上記プローブの接続端子部が選択的に接続される少なくとも電流測定用の第１信号測定端子および電圧測定用の第２信号測定端子の２つの信号測定端子を含む測定器本体とを備え、上記被測定体の電気信号が上記プローブを介して上記測定器本体に入力される電気測定器において、上記測定器本体には、上記電流測定用の第１信号測定端子と上記電圧測定用の第２信号測定端子のうち、上記電流測定用の第１信号端子側に磁気発生手段が設けられ、上記プローブの接続端子部には、上記磁気発生手段による磁気を検知する磁気センサが設けられているとともに、上記接触ヘッド部には、上記磁気センサにより駆動される報知手段が設けられており、上記プローブの接続端子が上記電圧測定用の第２信号測定端子に接続されている状態時には上記報知手段は非動作であり、上記プローブの接続端子が上記電流測定用の第１信号測定端子に接続されている状態時にのみ上記報知手段が動作し、上記プローブの接触ヘッド部側で、上記報知手段により、上記プローブの接続端子が上記電流測定用の第１信号測定端子に接続されているのか、もしくは上記電圧測定用の第２信号測定端子に接続されているのかが分かるようにしたことを特徴としている。
【００１２】
本発明の好ましい態様によれば、上記接触ヘッド部には、上記報知手段の動作電源が搭載されている。
【００１４】
上記報知手段は、発光ダイオード（ＬＥＤ）等からなる可視的な表示手段であることが好ましいが、ブザー音発生手段が採用されてもよい。
【発明の効果】
【００１６】
本発明によれば、測定器本体側の第１信号測定端子と第２信号測定端子のいずれか一方に磁気発生手段が設けられ、プローブの接続端子部には、磁気発生手段による磁気を検知する磁気センサが設けられているとともに、接触ヘッド部には、磁気センサにより駆動される報知手段が設けられていることにより、プローブの接触ヘッド部側において、その報知手段により、プローブが第１信号測定端子側に接続されているのか、もしくは第２信号測定端子側に接続されているのかが分かる。
【００１７】
また、基本的には、磁気発生手段，磁気センサおよび報知手段により構成され、機械的な構成要素を含まないことから、故障や破損が生じ難い。
【図面の簡単な説明】
【００１８】
【図１】本発明の一実施形態を示す模式図。
【発明を実施するための形態】
【００１９】
次に、図１により、本発明の実施形態について説明するが、本発明はこれに限定されるものではない。
【００２０】
図１に示すように、この実施形態に係る電気測定器は、基本的な構成として、測定器本体１０と、測定器本体１０に接続される測定用のプローブ２０とを備える。
【００２１】
この実施形態において、測定器本体１０は、デジタルマルチメータ（ＤＭＭ）の機能を有し、図示しない例えばロータリースイッチからなるファンクション切替スイッチと、プローブ２０が接続される信号測定端子とを備えている。
【００２２】
図１には、上記信号測定端子として、電流測定端子１１，電圧測定端子１２およびＣＯＭ端子１３の各端子が示されている。各端子は端子穴からなるが、この実施形態では、電流測定端子１１に隣接して磁気発生手段としての永久磁石１４が設けられている。
【００２３】
プローブ２０は、図示しない被測定体に対する接触ヘッド部２１と、測定器本体１０に対する接続端子部２２とを備え、接触ヘッド部２１と接続端子部２２は、所定の電気配線２３を介して接続されている。
【００２４】
接触ヘッド部２１には、被測定体に接触させられるプローブピン２１１と、報知手段としての警告表示部２１２と、警告表示部２１２の動作電源である電池２１３とが設けられている。この実施形態において、警告表示部２１２には、例えば赤色発光の発光ダイオード（ＬＥＤ）が用いられている。
【００２５】
接続端子部２２には、上記信号測定端子のうちの電流測定端子１１もしくは電圧測定端子１２のいずれか一方に接続される接続プラグ２２１と、永久磁石１４の磁気を検出する磁気センサ２２２とが設けられている。なお、ＣＯＭ端子１３には、図示しない別のプローブピンを有するプローブが接続される。
【００２６】
接続プラグ２２１には、電流測定端子１１もしくは電圧測定端子１２の端子穴に差し込まれるバナナプラグが用いられてよく、接続プラグ２２１は、電気配線２３内の第１配線２３１を介してプローブピン２１１に接続されている。
【００２７】
この実施形態において、磁気センサ２２２には、ホール素子ＩＣが用いられており、磁気センサ２２２は、電気配線２３内の第１配線２３２を介して警告表示部２１２に接続されている。なお、磁気センサ２２２に、例えばリードスイッチが用いられてもよい。
【００２８】
上記した構成において、プローブ２０を測定器本体１０の電流測定端子１１に接続すると、磁気センサ２２２が永久磁石１４による磁気を検出し、その検出信号を警告表示部２１２に与える。これにより、警告表示部２１２に電池２１３から駆動電流が供給され、警告表示部２１２の例えば発光ダイオードが点灯する。
【００２９】
これに対して、プローブ２０を測定器本体１０の電圧測定端子１２に接続する場合には、磁気センサ２２２が永久磁石１４による磁気を検出しないため、警告表示部２１２は駆動されず、警告表示部２１２の例えば発光ダイオードは消灯のままである。
【００３０】
このように、本発明によれば、接触ヘッド部２１に設けられている警告表示部２１２の例えば発光ダイオードが点灯している場合には、当該プローブ２０が電流測定端子１１に接続されていることが分かり、警告表示部２１２の例えば発光ダイオードが消灯している場合には、当該プローブ２０が電圧測定端子１１に接続されていることが分かる。
【００３１】
したがって、電流測定端子１１に接続されているプローブ２０に電圧を印加する等の誤操作を未然に防ぐことができる。また、この警告表示には、機械的な可動部がないため、故障や破損が生じ難い。
【００３２】
上記実施形態では、電流測定端子１１側に永久磁石１４を配置しているが、これに代えて、電圧測定端子１２側に永久磁石１４を配置してもよい。その場合、警告表示部２１２の発光ダイオードを緑色発光としてもよい。また、永久磁石１４に代えて電磁石が用いられてもよい。
【００３３】
さらには、磁気センサ２２２に代えてマイクロスイッチが用いられてもよく、その場合には、電流測定端子１１（もしくは電圧測定端子１２）の近傍に、接続端子部２２の測定器本体１０への接続に伴ってマイクロスイッチの可動片に作用する例えば突起（ボス）を測定器本体１０側に設ければよい。
【００３４】
また、警告表示部２１２に代わる報知手段として、ブザー音発生手段が用いられてもよい。また、上記実施形態は、マルチメータ（テスター）について説明されているが、本発明は、複数の測定端子を備えていることを条件として、これ以外の電気測定器にも適用可能である。
【符号の説明】
【００３５】
１０  測定器本体
１１  電流測定端子
１２  電圧測定端子
１３  ＣＯＭ端子
１４  永久磁石
２０  プローブ
２１  接触ヘッド部
２１１  プローブピン
２１２  警告表示部（報知手段）
２１３  電池
２２  接続端子部
２２１  接続プラグ
２２２  磁気センサ
【図１】
0005820625.tif 000002